(57)【要約】【課題】使用に際して剥離紙の破棄を伴わない発送用複写伝票の提供。【解決手段】少なくとも送り状、粘着層を有する荷札、及び粘着層に添付する剥離紙を有する発送用複写伝票において、前記粘着層に添付する剥離紙に感圧複写機能により印字できることを特徴とする発送用複写伝票である。【選択図】  図１
2004299229.tif 000002
【特許請求の範囲】
【請求項１】
少なくとも送り状、粘着層を有する荷札、及び粘着層に添付する剥離紙を有する発送用複写伝票において、前記粘着層に添付する剥離紙に感圧複写機能により印字できることを特徴とする発送用複写伝票。
【請求項２】
感圧複写機能がマイクロカプセル化したロイコ染料と顕色剤により達成される請求項１記載の配送用複写伝票。
【請求項３】
送り状と荷札以外に更に票紙を挿入したことを特徴とする請求項１〜２項のいずれかの項に記載の配送用伝票。
【発明の詳細な説明】
【０００１】
【発明の属する技術分野】
本発明は、剥離紙に感圧複写機能により印字可能な配送用複写伝票に関する。
【０００２】
【従来の技術】
一般的に、宅配便等で使用されている伝票は、少なくとも送り状、粘着層を有する荷札及びその粘着層上に添付した剥離紙の３枚からなっており、該送り状及び荷札は感圧発色機能をもたせた感圧複写紙よりなっている。しかし、実際には上記送り状と荷札以外に送り状控えや到着原票などの用紙が組み込まれており、これらが１綴りとして配送用複写伝票１を構成している。具体的に使用されている１例を図２に示す。図２において、下部から順に、荷札６、送り状５、到着原票４、運賃請求票３、及び送り状控（お客様控）２とが一綴りとなっている。これらの各票紙は、表面に情報に対応する圧力作用を受けて該情報を記録する感圧発色機能を有する層と、背面に顕色剤を含む層を有して複写機能を有し、最下部の荷札６の裏面には粘着層８が存在し、その上に剥離紙７が添付されている。
この配送用伝票の使用に際しては、最上部の送り状控（お客様控）２の感圧発色機能を有する層にボールペン等で必要な情報を手書きし、最下部の荷札６まで複写させた後、荷札裏面の粘着層に添付されている剥離紙を破棄して粘着層を露出させ、これを目的物（発送荷物）上に貼着する。従って、このような配送伝票の使用に際しては必ず剥離紙の破棄が伴っているので、無駄な資源を使用していることとなり、また、環境上も好ましくない。
【０００３】
【発明が解決しようとする課題】
そこで、本発明者はこのような剥離紙の破棄を伴わない配送伝票について種々検討した結果、本発明を完成したもので、本発明の目的は、剥離紙を破棄することなく使用できる配送伝票を提供することを目的とする。
【０００４】
【課題を解決するための手段】
本発明の要旨は、少なくとも送り状、粘着層を有する荷札、及び粘着層に添付する剥離紙を有する発送用複写伝票において、前記粘着層に添付する剥離紙に感圧複写機能により印字できることを特徴とする発送用複写伝票である。
そして、本発明に係る配送用伝票における各票紙は一方の面に感圧発色機能層を、他方の面に顕色剤を含む層とからなる感圧複写機能を有し、感圧発色機能層はマイクロカプセル化したロイコ染料により達成されることが好ましい。また、送り状と荷札以外に更に感圧複写機能を有する票紙を挿入することが好ましい。即ち、本発明においては、粘着層に添付する剥離紙に感圧複写機能により印字を付与したことによって、剥離紙には荷札に記入した必要な情報が複写されるので、これを、例えば送り状控（お客様用控）等の票紙として利用することができ、従来の伝票の票紙の１葉を省略することができると共に剥離紙の破棄を無くすことができる。
【０００５】
【発明の実施の形態】
本発明について、詳細に述べる。
本発明における発送用複写伝票は、少なくとも送り状、粘着層を有する荷札、及び粘着層に添付する剥離紙の３票よりなるものであるが、必要に応じて種々の票紙を加入して、送り状或いは荷札に記入した情報を複写した票紙を更に設けることは荷物の輸送管理上好ましい。例えば、一般的に使用されているように、配送用伝票における送り状控、運賃請求票、到着原票等を加入することが好ましい。そして、これらの各票紙は感圧記録紙であるので、一方の面に情報を記録する感圧発色機能を有する層を、他方の面に顕色剤を含む層を有する紙で構成されており、これら各票は従来より感圧複写紙として使用されているものと変わらない。
そして、本発明の特徴点は、粘着層に添付する剥離紙に感圧複写機能により印字できることである。即ち、本発明においては粘着層より容易に剥離できるように、例えばシリコン加工が施されている剥離紙に印字可能としたのである。
【０００６】
本発明における各票紙の複写機能については特に制限はないが、不要時に汚れが少ない感圧発色層と顕色剤を含有する層とからなる感圧複写機能が好ましい。感圧複写機能としてはどのような方法によっても良く、特に制限するものではないが、通常、感圧複写紙として使用されているものが好ましい。
即ち、荷札の裏面には粘着層と共に感圧発色機能を有し、粘着層に添付される剥離紙の表面にはシリコン等の剥離処理が施されていると共に、顕色剤を含む層を有する。
【０００７】
感圧発色機能としては、基本的に発色剤をマイクロカプセル化する。好適な発色剤は、ロイコ染料であり、具体的には、感圧複写紙に常用されるトリフェニルメタン系化合物、トリフェニルメタンフタリド系化合物、フルオラン系化合物、フェノチアジン系化合物、インドリルフタリド系化合物、ロイコオーラミン系化合物、ローダミンラクタム系化合物、トリアゼン系化合物およびスピロピラン系化合物等のロイコ体のような、青、赤、黒等の各種の色相で発色し得るもの、およびこれらの混合物が挙げられる。
【０００８】
感圧発色層中のマイクロカプセルが破壊して、発色する際に使用される顕色剤としては、感圧複写紙に一般に使用されるものであってよく、例えば、モンモリロナイト、アタパルジャイト、ベントナイト、活性白土、カオリン等の粘土鉱物等が挙げられる。これらの顕色剤は単独でまたは組み合わせて使用してよい。
【０００９】
最下部の荷札裏面に設ける粘着層は、クロロプレンゴム系、ニトリルゴム系、スチレン−ブタジエンゴム系等の任意の感圧接着剤を塗布することによって形成される。
【００１０】
剥離紙としては、感圧複写伝票の使用前の保管中および搬送中における感圧複写層の汚染および他の物品への接着を回避するためのものであり、当該分野において従来から使用されているもの（例えば、シリコーン加工紙、ワックス加工紙等）がいずれも使用できる。そして、本発明ではこの剥離紙に上述の複写機能を付与しているのである。
【００１１】
【実施例】
本発明の配送用感圧複写伝票について、実施例として更に具体的に図面をもって説明する。
実施例１
本発明に係る配送用複写伝票１の１例を図１に示す。図１において、最下部から順に、荷札６、送り状５、到着原票４、及び運賃請求票３より構成されている。最下部の荷札６の裏面は粘着層８を有し、この粘着層８には複写機能と剥離機能とを有する剥離紙７が添付されている。そして、最上部の運賃請求票３の裏面には感圧発色機能を有する層を有し、到着原票４の上面には顕色剤を有する層、及びその裏面には感圧発色機能を有する層を有し、運賃請求票３の感圧発色機能を有する層と到着原票４の顕色剤を有する層とが接している。以下、同様にして、最下部の荷札裏面には粘着剤と共に感圧発色機能を有する層を有し、これに添付される剥離紙の上面は剥離処理と共に顕色剤を含有する層を有する。このような発送用伝票において、使用に際しては最上部の運賃請求票にボールペン等で必要な情報を手書きすると、最下部の荷札の裏面の粘着剤に添付されている剥離紙は顕色剤を有する層があるので、最上部の運賃請求票に記入した情報が複写される。従って、この剥離紙を剥離して荷札を荷物の上に貼着すると、剥離紙には情報が記入されているので、これを送り状（控え）として使用することができ、従って、従来のように剥離紙を廃棄する必要はない。
【００１２】
【発明の効果】
以上述べたように、本発明の配送用感圧複写伝票において、例えば図１に示すように、最下部の荷札裏面の粘着層に添付した剥離紙に印字することができるので、最上部の票紙に記入した情報が剥離紙に複写され、従って、これを剥離して荷札を発送荷物に貼着すると、情報を記入した票紙が手元に残るので、従来の発送伝票の票紙を一枚省略できると共に、従来のような剥離紙の廃棄を伴わないので環境に優しい発送伝票と言うことが出来る。
【図面の簡単な説明】
【図１】本発明にかかる発送用複写伝票の１例の構成図。
【図２】従来の発送用複写伝票の構成図。
【符号の説明】
１  配送用伝票      ２  送り状控え      ３  運賃請求票
４  到着原票      ５  送札      ６  荷札      ７  剥離紙
【図１】
2004299229.tif 000003
【図２】
2004299229.tif 000004